(57)【要約】【課題】製造コストの低減が可能な顕微鏡を提供すること。【解決手段】ベース１と、ベース１に取り付けられ、標本をベース１に対して前後方向または左右方向に移動させるステージ１３と、対物レンズ６４が装着されたレボルバ６が昇降可能に取り付けられたフレーム２と、一端がベース１に取り付けられ、他端がフレーム２に取り付けられた三本の支柱３と、フレーム２に取り付けられるとともに、接眼レンズ４１が装着可能であって、対物レンズ６４と装着された接眼レンズ４１との間に光路を確保する鏡筒４とを備えるようにしたので、ベース１、フレーム２、支柱３を別々に製造でき、これらを組み立てることにより顕微鏡本体が構成されるので、大型の製造装置を必要としたり、保管に大きなスペースを必要としたりすることがない。【選択図】        図１
2010117667.tif 000002
【特許請求の範囲】
【請求項１】
ベースと、
ベースに取り付けられ、標本をベースに対して前後方向または左右方向に移動させるステージと、
対物レンズが装着されたレボルバが昇降可能に取り付けられたフレームと、
一端がベースに取り付けられ、他端がフレームに取り付けられた少なくとも二以上の支柱と、
フレームに取り付けられるとともに、接眼レンズが装着可能であって、前記対物レンズと装着された接眼レンズとの間に光路を確保する鏡筒と
を備えたことを特徴とする顕微鏡。
【請求項２】
前記レボルバを前記フレームに対して昇降させる準焦機構を備えたことを特徴とする請求項１に記載の顕微鏡。
【請求項３】
前記準焦機構は、
光路を確保するとともに、外周に送りネジが形成された円筒状のガイドと、
前記送りネジが螺合され、一方向に回転させた場合にレボルバが上昇し、他方向に回転させた場合にレボルバが下降するレボルバ昇降ギアと、
該レボルバ昇降ギアと噛み合わされ、回転操作される準焦ハンドルと
を備えたことを特徴とする請求項２に記載の顕微鏡。
【請求項４】
前記準焦機構は、
光路を確保するとともに、外周に送りネジが形成された円筒状のガイドと、
前記送りネジが螺合され、一方向に回転させた場合にレボルバが上昇し、他方向に回転させた場合にレボルバが下降するレボルバ昇降ギアと、
前記支柱を挿通し、上端部に駆動ギアが取り付けられ、下端部に回転操作される微動ハンドルが取り付けられた軸と、
前記レボルバ昇降ギアと噛み合わされるとともに、前記駆動ギアと噛み合わされたアイドルギアと
を備えたことを特徴とする請求項２に記載の顕微鏡。
【請求項５】
前記レボルバ昇降ギアに取り付けられ、レボルバ昇降ギアを回転操作する粗動ハンドルを設けたことを特徴とする請求項４に記載の顕微鏡。
【発明の詳細な説明】
【技術分野】
【０００１】
本発明は、標本を上方から観察する正立型の顕微鏡に関するものである。
【背景技術】
【０００２】
図８は、既に公知となっている正立型の顕微鏡の側面図であり、図９は、図８に示した正立型の顕微鏡の側断面図である。図８に示した正立型の顕微鏡は、顕微鏡本体１０１と、顕微鏡本体１０１の下部から突出したベース部としてのベース１０２と、ベース上に固着されたステージ受け１０３と、ステージ受け上に固定されたステージ１０４と、顕微鏡本体１０１に内蔵された準焦ガイド１０６（図９参照）に固着されたレボダイ１０７と、レボダイ１０７の下面に取着されたレボルバ１０８と、レボルバ１０８に取付けられた複数の対物レンズ１０９と、顕微鏡本体１０１の上部に突設されたアーム部１１０と、アーム部上に取着された鏡筒１１１と、鏡筒１１１に装着された接眼レンズ１１２とから構成されている。また、ベース１０２の側面には、対物レンズ１０９を上下動させる準焦ハンドル１１３と、視野絞りを操作するＦＳレバー１１４とが配設されている。
【０００３】
また、図９に示すように、レボダイ１０７は上下動自在な準焦ガイド１０６に固着され、準焦ガイド１０６の下部にはラック１１５が取り付けられている。準焦ハンドル１１３と同軸に小ギア１１６が固着され、小ギア１１６とラック１１５との間には中間歯車である大ギア１１８とピニオン１１９とが同軸に配設されている。小ギア１１６は大ギア１１８と噛合し、ピニオン１１９はラック１１５と噛合している。準焦ハンドル１１３を回動することにより、回転運動が小ギア１１６、大ギア１１８、ピニオン１１９、ラック１１５の順に伝達され、準焦ガイド１０６が上下動を行い、レボダイ１０７、レボルバ１０８および対物レンズ１０９が上下動して、対物レンズ１０９をステージ上の標本に焦点合わせするようになっている。
【０００４】
【特許文献１】特開２００１−２２８４０８号公報
【発明の開示】
【発明が解決しようとする課題】
【０００５】
ところで、上述した顕微鏡は、顕微鏡本体１０１と、顕微鏡本体１０１の下部から突出され、ステージ１０４が固定されるベース１０２と、顕微鏡本体１０１の上部に突設され、鏡筒１１１が取り付けられるアーム部１１０とが一体に構成されているために、大型の製造装置が必要であったり、保管に大きなスペースが必要となり、顕微鏡の製造コストの低減が困難なものとなっていた。
【０００６】
本発明は、上記に鑑みてなされたものであって、小型軽量、省スペースであり、製造コストの低減が可能な顕微鏡を提供することを目的とする。
【課題を解決するための手段】
【０００７】
上述した課題を解決し、目的を達成するために、本発明は、ベースと、ベースに取り付けられ、標本をベースに対して前後方向または左右方向に移動させるステージと、対物レンズが装着されたレボルバが昇降可能に取り付けられたフレームと、一端がベースに取り付けられ、他端がフレームに取り付けられた少なくとも二以上の支柱と、フレームに取り付けられるとともに、接眼レンズが装着可能であって、前記対物レンズと装着された接眼レンズとの間に光路を確保する鏡筒とを備えたことを特徴とする。
【０００８】
また、本発明は、上記発明において、ベースと一体的に構成したステージと、複数の支柱と、前記レボルバを前記フレームに対して昇降させる準焦機構とを備えたことを特徴とする。
【０００９】
また、本発明の前記準焦機構は、光路を確保するとともに、外周に送りネジが形成された円筒状のガイドと、前記送りネジが螺合され、一方向に回転させた場合にレボルバが上昇し、他方向に回転させた場合にレボルバが下降するレボルバ昇降ギアと、該レボルバ昇降ギアと噛み合わされ、回転操作される準焦ハンドルとを備えたことを特徴とする。
【００１０】
また、本発明の前記準焦機構は、光路を確保するとともに、外周に送りネジが形成された円筒状のガイドと、前記送りネジが螺合され、一方向に回転させた場合にレボルバが上昇し、他方向に回転させた場合にレボルバが下降するレボルバ昇降ギアと、前記支柱を挿通し、上端部に駆動ギアが取り付けられ、下端部に回転操作される微動ハンドルが取り付けられた軸と、前記レボルバ昇降ギアと噛み合わされるとともに、前記駆動ギアと噛み合わされたアイドルギアとを備えたことを特徴とする。
【００１１】
また、本発明は、上記発明において、前記レボルバ昇降ギアに取り付けられ、レボルバ昇降ギアを回転操作する粗動ハンドルを設けたことを特徴とする。
【発明の効果】
【００１２】
本発明にかかる顕微鏡は、ベース、フレーム、支柱を別々に製造でき、これらを組み立てることにより、顕微鏡本体が構成されるので、各々の部品が軽量で、単純な形状とすることができるため、大型の製造装置が必要であったり、保管に大きなスペースを必要としたりすることがない。したがって、顕微鏡の製造コストの低減が可能になった。
【発明を実施するための最良の形態】
【００１３】
以下に添付図面を参照して、本発明にかかる顕微鏡の好適な実施の形態を詳細に説明する。なお、この実施の形態によりこの発明が限定されるものではない。
【００１４】
（実施の形態１）
図１〜図３に基づいて、本発明の実施の形態１である顕微鏡について説明する。なお、図１および図２は、本発明の実施の形態１である顕微鏡の外観を示す斜視図、図３は図１および図２に示した顕微鏡の左側面図である。
【００１５】
図１〜図３に示すように、本発明の実施の形態１である顕微鏡は、正立型の顕微鏡であって、ベース１、フレーム２、三本の支柱３、鏡筒４を備えている。
【００１６】
図１〜図３に示すように、ベース１は、ベース板１１とベース１の外周を覆う箱状のベースカバー１２とを備えている。ベース板１１は、図４に示すように、略正方形の板状体であって、ベース１の下面から上面までの高さが１２０ｍｍ程度以下となるように、ベース板１１の上面にステージ１３が取り付けてある。ステージ１３の上面は、平坦であって、標本が入ったスライドガラスＳが載置されるようになっている。また、ステージ１３の上面には、クレンメル１４が取り付けてあり、載置されたスライドガラスＳを把持できるようになっている。
【００１７】
また、クレンメル１４は、ステージ１３に対して左右方向（Ｘ方向）および前後方向（Ｙ方向）に移動可能であって、ステージ１３の右側には、クレンメル１４を前後方向に移動させるハンドル１５ａと、クレンメル１４を左右方向に移動させるハンドル１５ｂとを同一軸上に配設したステージハンドル１５を備えている。そして、ステージハンドル１５を回転操作すれば、クレンメル１４とともにスライドガラスＳを左右方向（Ｘ方向）および前後方向（Ｙ方向）に移動させることができるようになっている。
【００１８】
また、図３に示すように、ベース板１１の下方となるベース１の内部には、照明光学系５が配設してある。本実施の形態の照明光学系５は、ＬＥＤ５１、フレネルレンズ５２、ＡＳ絞り５３、コンデンサレンズ５４から構成され、これらはこの順番で下方から上方に向けて配設してある。フレネルレンズ５２は、フロスト面がＬＥＤ５１に対向するように配設してあり、ＬＥＤ５１から出射され、フレネルレンズ５２を通過した光は、ＡＳ絞り５３によって光量が調整されるようになっている。複数のＡＳ絞り５３は、回転操作可能に設けられたターレット上の開口絞りであって、ターレットは外周の一部がベースカバー１２の右側面から露出するようになっている。ＡＳ絞り５３は、後述する対物レンズ６４と対応するように、開放、４×、１０×、４０×、１００×の開口が設けてあり、開口を通過した光は、さらにコンデンサレンズ５４により集光され、標本を照らすようになっている。なお、ＡＳ絞り５３は、ターレット式でなく、絞りハネ式でもよい。
【００１９】
図４に示すように、フレーム２は、ベース板１１よりもやや小さい略正方形の板状体であって、ベース板１１とフレーム２とは、三本の支柱３によって連結されている。支柱３は、円柱、あるいは角柱で構成され、たとえば、丸棒や角棒等の棒状部材を寸切りしたもので構成されている。支柱３の両端には、ネジ穴（図示せず）が形成してあり、ベース板１１の四隅に形成した穴（図示せず）を挿通したネジ（図示せず）が螺合することにより、ベース板１１に支柱３が取り付けられ、フレーム２の四隅に形成した穴２ａを挿通したネジ２１が螺合することにより、支柱３にフレーム２が取り付けられている。ベース板１１とフレーム２との連結は、標本の交換、ステージハンドル１５の操作性を考慮して決定される。本実施の形態である顕微鏡は、奥側二カ所と手前左側一カ所で連結されている。なお、取付本数が任意に変更可能である。取付位置は、四隅に限定されず、任意の位置に穴を設けることにより任意の位置に取付可能である。
【００２０】
図５に示すように、フレーム２には、レボルバ保持部材２２が取り付けてあり、レボルバ６が昇降可能に取り付けられるようになっている。レボルバ保持部材２２は、円筒状の部材であって、その軸方向中程に鍔状に張り出したフランジ２２ａを有している。フランジ２２ａを四等分する位置には孔２２ｂが設けてあり、孔２２ｂを挿通したネジ（図示せず）がフレーム２に設けたネジ穴２ｂに螺合することにより、レボルバ保持部材２２がフレーム２に取り付けられるようになっている。また、レボルバ保持部材２２の胴部には、軸方向に延在する溝（図示せず）が形成してあり、回転規制ピン２３が挿通した状態で嵌合するようになっている。
【００２１】
レボルバ６は、レボルバ本体６１とレボルバ回転部６２とを備えている。レボルバ本体６１は、レボルバ保持部材２２の内周面に摺動可能に挿通する筒状部６１１と、筒状部の下方に斜めに設けられたレボルバ支承部６１２とを有している。筒状部６１１の外周中程には、上述した回転規制ピン２３が固定されている。したがって、レボルバ本体６１は、回転規制ピン２３に規制され、回転することなく昇降するようになっている。また、筒状部６１１の外周中程から上方には、送りネジ６３が形成してあり、準焦機構７を構成するレボルバ昇降ギア７１が螺合するようになっている。
【００２２】
レボルバ回転部６２には、対物レンズ６４を装着する装着穴が形成してあり、各装着穴には任意の対物レンズ６４が装着できるようになっている。本実施の形態である顕微鏡は、たとえば、４×、１０×、４０×、１００×の四つの対物レンズ６４が装着できるようになっている。
【００２３】
準焦機構７は、上述したレボルバ昇降ギア７１と準焦ハンドル７２とを備えている。レボルバ昇降ギア７１は、上述したように、内周に送りネジ６３と螺合するネジ（図示せず）が形成されるとともに外周に歯が形成された歯車であって、レボルバ昇降ギア７１が図５において時計方向に回転すると、送りネジ６３がレボルバ６を上昇させ、反時計方向に回転すると、送りネジ６３がレボルバ６を下降させるようになっている。
【００２４】
準焦ハンドル７２は、円板形状を呈しており、その外周にレボルバ昇降ギア７１と噛み合う歯が形成されている。また、準焦ハンドル７２は、その外周の一部がフレーム２の手前左側から突出し、回転操作されるようになっている。そして、準焦ハンドル７２を図５において時計方向に回すと、レボルバ昇降ギア７１が反時計方向に回転し、レボルバ６を下降させ、反時計方向に回すと、レボルバ昇降ギア７１が時計方向に回転し、レボルバ６を上昇させるようになっている。
【００２５】
また、フレーム２には、鏡筒４が取り付けてある。鏡筒４は、接眼レンズ４１が装着可能であって、対物レンズ６４と装着された接眼レンズ４１との間に光路を確保するようになっている。なお、接眼レンズ４１に代えて、または、接眼レンズ４１とともにカメラ等の撮像装置を取り付けてもよい。
【００２６】
そして、フレーム２と鏡筒４との間は、略角錐台形状に形成されたフレームカバー２４により覆われるとともに、その左側角隅部から準焦ハンドル７２の外周の一部が露出し、回転操作できるようになっている。
【００２７】
上述した実施の形態１である顕微鏡を用いて標本を観察する場合には、レボルバ６（レボルバ回転部６２）を回転操作し、低倍率（たとえば、４×）の対物レンズ６４を選択するとともに、ＡＳ絞り５３を回転操作し、対物レンズ６４に対応する開口を選択する。そして、電源を入れ、ＬＥＤ５１を点灯させるとともに、標本の入ったスライドガラスＳをステージ１３に載置し、スライドガラスをクレンメル１４で把持させる。つぎに、準焦ハンドル７２を回転操作することにより、焦点（ピント）を合わせる。概ね焦点があったら、ステージハンドル１５を回転操作することにより標本をＸＹ方向に動かし、観察する像を探す。そして、必要に応じレボルバ６（レボルバ回転部６２）を回転操作し、高倍率の対物レンズ６４に切り換え、標本を観察する。
【００２８】
上述した実施の形態１である顕微鏡によれば、ベース１、フレーム２、支柱３を別々に製造でき、これらを組み立てることにより、顕微鏡本体が構成されるので、大型の製造装置を必要としたり、保管に大きなスペースを必要としたりすることがない。したがって、顕微鏡が小型軽量、省スペースとなり、製造コストの低減が可能になった。特に、支柱３は、丸棒や角棒等の棒状部材を寸切りしたもので構成されているので、安価なものとなる。
【００２９】
（実施の形態２）
図６に基づいて、本発明の実施の形態２である顕微鏡について説明する。なお、図６は、本発明の実施の形態２である顕微鏡の外観を示す斜視図であり、図７は、本発明の実施の形態２である顕微鏡の準焦機構を示す斜視図である。また、本発明の実施の形態２である顕微鏡は、準焦機構８に特徴を有する顕微鏡であって、上述した顕微鏡と同一の箇所には、同一の符号を付して説明を省略する。
【００３０】
実施の形態２である顕微鏡の準焦機構は、レボルバ昇降ギア８１、軸８２、アイドルギア８３を備えている。
【００３１】
レボルバ昇降ギア８１は、上述した実施の形態１の顕微鏡と同様に、内周に送りネジ６３と螺合するネジ（図示せず）が形成されるとともに、外周に歯が形成された歯車であって、レボルバ昇降ギア８１が図７において時計方向に回転すると、送りネジ６３がレボルバ６を上昇させ、反時計方向に回転すると、送りネジ６３がレボルバ６を下降させるようになっている。
【００３２】
レボルバ昇降ギア８１の下面には、レボルバ昇降ギア８１と同一軸を有する粗動ハンドル８４が取り付けてある。粗動ハンドル８４は、その外周に放射状に突出する突起８４ａを有しており、外周の一部がフレーム２の手前から突出し、回転操作されるようになっている。そして、粗動ハンドル８４を図７において時計方向に回すと、レボルバ昇降ギア８１が時計方向に回転し、レボルバ６を上昇させ、反時計方向に回すと、レボルバ昇降ギア８１が反時計方向に回転し、レボルバ６を下降させるようになっている。なお、突起８４ａの形状は、ローレットでもよいし、棒状でもよい。
【００３３】
軸８２は、上述した三つの支柱３のうち、奥側左となる支柱３を挿通し、支承されるようになっている。したがって、奥側左となる支柱３は、筒状のものが採用される。支柱３を挿通した軸８２の上端部には、駆動ギア８５が取り付けてあり、下端部には、微動ハンドル８６が取り付けてある。
【００３４】
駆動ギア８５は、外周に歯が形成された歯車であって、微動ハンドル８６とともに回転するようになっている。微動ハンドル８６は、円板形状を呈しており、その外周の一部がベース１の左奥の角隅部から突出し、回転操作されるようになっている。
【００３５】
アイドルギア８３は、駆動ギア８５からレボルバ昇降ギア８１に動力を伝達するものであって、駆動ギア８５に噛み合う大径ギア８３１と、レボルバ昇降ギア８１に噛み合う小径ギア８３２とが一体となって構成してある。したがって、駆動ギア８５とレボルバ昇降ギア８１とは、同一方向に回転することになる。また、上述したように、粗動ハンドル８４はレボルバ昇降ギア８１に取り付けてあり、微動ハンドル８６は駆動ギア８５とともに回転するようになっているので、微動ハンドル８６を回すと、粗動ハンドル８４が微動ハンドル８６と同一方向に回転し、粗動ハンドル８４を回すと、微動ハンドル８６が粗動ハンドル８４と同一方向に回転することになる。
【００３６】
上述した実施の形態２である顕微鏡において、焦点（ピント）を合わせる場合には、粗動ハンドル８４あるいは微動ハンドル８６を回転操作すればよい。粗動ハンドル８４を回転操作すると、レボルバ６は大きく昇降することになる。これは、粗動ハンドル８４の回転操作量（回転角度）とレボルバ昇降ギア８１の回転量（回転角度）とが同一であることに基づくものである。一方、微動ハンドル８６を回転操作すると、レボルバ６は僅かに昇降することになる。これは、微動ハンドル８６の回転が減速されてレボルバ昇降ギア８１に伝達されることに基づくものである。
【００３７】
上述した実施の形態である顕微鏡によれば、上述した実施の形態１である顕微鏡と同様に、製造コストの低減が可能となる。また、標本を入れ替える場合等のように、かならずしも接眼レンズ４１をのぞくことなく、レボルバ６を大きく昇降させる場合には、フレーム２の手前から突出した粗動ハンドル８４を回転操作すればよく、焦点を合わせる場合等のように接眼レンズ４１をのぞいた状態でレボルバ６を僅かに昇降させる場合には、接眼レンズ４１をのぞいた状態で操作しやすいベース１の左奥の角隅部にから突出した微動ハンドル８６を回転操作することになるので、上述した実施の形態１である顕微鏡よりも操作性に優れている。
【図面の簡単な説明】
【００３８】
【図１】本発明の実施の形態１である顕微鏡の外観を示す斜視図である。
【図２】本発明の実施の形態１である顕微鏡の外観を示す斜視図である。
【図３】図１および図２に示した顕微鏡の左側面図である。
【図４】支柱の固定方法を説明する説明図である。
【図５】本発明の実施の形態１である顕微鏡の準焦機構を示す斜視図である。
【図６】本発明の実施の形態２である顕微鏡の外観を示す斜視図である。
【図７】本発明の実施の形態２である顕微鏡の準焦機構を示す斜視図である。
【図８】既に公知となっている正立型の顕微鏡の側面図である。
【図９】図８に示した正立型の顕微鏡の部分断面図である。
【符号の説明】
【００３９】
１    ベース
１１    ベース板
１３    ステージ
１５    ステージハンドル
２    フレーム
２２    レボルバ保持部材
２３    回転規制ピン
３    支柱
４    鏡筒
４１    接眼レンズ
５    照明光学系
６    レボルバ
６１    レボルバ本体
６１１    筒状部
６１２    レボルバ支承部
６２    レボルバ回転部
６３    送りネジ
６４    対物レンズ
７    準焦機構
７１    レボルバ昇降ギア
７２    準焦ハンドル
８    準焦機構
８１    レボルバ昇降ギア
８２    軸
８３    アイドルギア
８３１    大径ギア
８３２    小径ギア
８４    粗動ハンドル
８５    駆動ギア
８６    微動ハンドル
【図１】
2010117667.tif 000003
【図２】
2010117667.tif 000004
【図３】
2010117667.tif 000005
【図４】
2010117667.tif 000006
【図５】
2010117667.tif 000007
【図６】
2010117667.tif 000008
【図７】
2010117667.tif 000009
【図８】
2010117667.tif 000010
【図９】
2010117667.tif 000011